(57)【要約】【課題】この発明は、安価な構成により中紙の弛みを取ることができる冊子処理装置を提供することを課題とする。【解決手段】通帳１に情報を印刷する印刷装置は、中間転写リボンに印刷された情報を通帳１の開いたページに転写するヒートローラを有する。通帳１を転写位置へ搬送する搬送ローラには、搬送路を介して従動ローラが押圧配置されており、両者の間のニップに通帳１が進入する際、通帳１の中紙に弛みを生じる場合がある。この弛みを取る弛み取りローラ１３’は、ワンウェイクラッチ６３およびトルクリミッタ６４を回転軸６１に備え、通帳１を矢印Ｔ2方向に搬送する際、通帳１の開いたページにトルクを与え、綴じ目から引っ張るように機能する。【選択図】      図１０
2006095949.tif 000002
【特許請求の範囲】
【請求項１】
複数枚の紙葉類を綴じた冊子を開いた状態にしてその綴じ目と略直行する第１および第２の方向に搬送する搬送路と、
この搬送路の一側で上記第１の方向に沿って離間して配置された第１および第２搬送ローラと、
上記搬送路を介して上記第１搬送ローラに転接して配置された従動ローラと、
上記搬送路を介して上記第２搬送ローラに転接して配置され、上記第１搬送ローラから第２搬送ローラに向かう上記第１の方向に上記冊子を搬送する際には冊子に連れ回り、上記第１の方向と逆の上記第２の方向に上記冊子を搬送する際には上記冊子に摩擦力を与える弛み取りローラと、
上記搬送路を介して上記開いた状態の冊子を上記第１の方向に搬送し、冊子の搬送方向先端が上記第２搬送ローラと弛み取りローラとの間のニップで挟持された後、当該冊子を上記第２の方向に搬送するように、上記第１および第２搬送ローラを駆動制御する制御部と、
を有することを特徴とする冊子処理装置。
【請求項２】
上記弛み取りローラの回転軸には、該弛み取りローラが上記第１の方向へ回転するとき該回転軸を自由にし、該弛み取りローラが上記第２の方向へ回転するとき該回転軸を拘束するワンウェイクラッチが取り付けられていることを特徴とする請求項１に記載の冊子処理装置。
【請求項３】
上記弛み取りローラの回転軸には、該弛み取りローラが上記第２の方向へ回転するとき上記ワンウェイクラッチに対して該回転軸の回転を抑制する方向のトルクを与えるトルクリミッタが取り付けられていることを特徴とする請求項２に記載の冊子処理装置。
【請求項４】
上記冊子と上記弛み取りローラとの間の静止摩擦係数をμとし、上記弛み取りローラの直径をＤ［ｍ］とし、上記弛み取りローラの上記第２搬送ローラに対する押圧力をＮ［Ｎ］とし、上記トルクリミッタのトルクをＴ［Ｎ・ｍ］とした場合、
Ｔ／（Ｄ／２）＜μＮ
が成り立つことを特徴とする請求項３に記載の冊子処理装置。
【請求項５】
情報を中間転写体に印刷する印刷部と、
上記第１搬送ローラと第２搬送ローラとの間の搬送路上に設けられ、上記冊子の開いたページに上記中間転写体に印刷した情報を転写する転写部と、
をさらに有することを特徴とする請求項１乃至請求項４のいずれか１項に記載の冊子処理装置。
【発明の詳細な説明】
【技術分野】
【０００１】
この発明は、通帳などの冊子を搬送して処理する冊子処理装置に関する。
【背景技術】
【０００２】
従来、冊子処理装置として、中間転写リボンを用いた通帳印刷装置が知られている（例えば、特許文献１参照。）。この印刷装置は、中間転写リボンに文字や画像の情報を一旦印刷し、この情報を通帳などの媒体に転写することで、通帳に所定の情報を印刷する。この際、通帳は、中間転写リボンに対向する転写位置を通して搬送されるが、印刷ページを開いた状態で綴じ目と略直行する方向に搬送されるため、通帳の搬送方向先端が搬送ローラ対のニップに突入する際に冊子に綴じ込まれた中紙に弛みを生じる場合がある。中紙に弛みを生じると、弛んだ部分にリボンが接触してインクが付着したり、そのまま印刷してしまうと印刷位置にズレを生じてしまう。
【０００３】
このため、この印刷装置では、転写位置を挟むように搬送路に沿って配置された２組の搬送ローラ対を所定のタイミングで互いに逆方向に回転し、２組の搬送ローラ対の間に綴じ目のある状態の通帳の中紙の弛みを取るようにしている。
【０００４】
しかし、上述した従来の印刷装置のように、搬送路に沿って配置した２組の搬送ローラ対を互いに逆方向に回転させるためには、各ローラ対に対して、モータ、駆動回路、駆動伝達系など個別の駆動系が必要となり、装置コストが高くなる問題があった。
【特許文献１】特開２００３−１０３８１０号公報（段落［００９０］、図１０）
【発明の開示】
【発明が解決しようとする課題】
【０００５】
この発明の目的は、安価な構成により中紙の弛みを取ることができる冊子処理装置を提供することにある。
【課題を解決するための手段】
【０００６】
上記目的を達成するため、本発明の冊子処理装置は、複数枚の紙葉類を綴じた冊子を開いた状態にしてその綴じ目と略直行する第１および第２の方向に搬送する搬送路と、この搬送路の一側で上記第１の方向に沿って離間して配置された第１および第２搬送ローラと、上記搬送路を介して上記第１搬送ローラに転接して配置された従動ローラと、上記搬送路を介して上記第２搬送ローラに転接して配置され、上記第１搬送ローラから第２搬送ローラに向かう上記第１の方向に上記冊子を搬送する際には冊子に連れ回り、上記第１の方向と逆の上記第２の方向に上記冊子を搬送する際には上記冊子に摩擦力を与える弛み取りローラと、上記搬送路を介して上記開いた状態の冊子を上記第１の方向に搬送し、冊子の搬送方向先端が上記第２搬送ローラと弛み取りローラとの間のニップで挟持された後、当該冊子を上記第２の方向に搬送するように、上記第１および第２搬送ローラを駆動制御する制御部と、を有する。
【０００７】
上記発明によると、第２搬送ローラと弛み取りローラとの間のニップで冊子を挟持した状態で第１および第２搬送ローラを逆回転させ、弛み取りローラによって与えられる摩擦力により中紙の弛みを取るようにしている。
【発明の効果】
【０００８】
この発明の冊子処理装置は、上記のような構成および作用を有しているので、安価な構成により中紙の弛みを取ることができる。
【発明を実施するための最良の形態】
【０００９】
以下、図面を参照しながらこの発明の実施の形態について詳細に説明する。  
図１には、通帳１（冊子）に所持者の氏名・住所等の情報や写真を印刷するとともに取引内容に応じた文字情報を印刷する印刷装置２０（冊子処理装置）を組み込んだ通帳印刷システム１０（以下、単にシステム１０と称する）の概略構造を示してある。ここで取り扱う通帳１は、複数枚の中紙を２枚の表紙で綴じて形成されている。また、このシステム１０において、通帳１は、その綴じ目と略直交する方向に搬送される。
【００１０】
システム１０は、閉じた状態の複数通の未使用の通帳１を積層状態で収容し、システム１０内に一通ずつ取込む通帳取り込み部１２、およびこの通帳取込部１２から図１中右方に延びた搬送路１１を有している。搬送路１１の図中下側には、通帳取込部１２から取込まれた通帳１を正逆両方向に搬送するための複数の搬送ローラ１４が配設されている。搬送路１１の図中上方には、各搬送ローラ１４との間で通帳１を挟持して搬送する複数の従動ローラ１３が配設されている。なお、印刷装置２０の図中左側に隣接して設けられた従動ローラは、後述する弛み取りローラ１３’に置き換えられている。以下の説明では、通帳取込部１２から後述する印刷装置２０に向う図１中右方向を正方向（第２の方向）とし、反対方向を逆方向（第１の方向）とする。
【００１１】
システム１０は、搬送路１１に沿って通帳取り込み部１２の下流側に、通帳１の開かれたページを検知するためのページ検知センサＳおよびページめくり機構１５を有するページめくり部１６、ページめくり部１６にて所定のページが開かれた通帳１に対して所定の情報を印刷する印刷装置２０を有する画像形成部、および所望するページに情報を印刷した通帳１を排出する通帳排出部を有する。また、通帳排出部の上方には、発行済の通帳をシステム１０内に取り込むためのここでは図示しない通帳投入口が設けられている。
【００１２】
ページ検知センサＳは、通帳１の開かれたページの画像を検出し、その画像データを後述する制御部５０へ送る。制御部５０では、この画像データに基づいて、当該ページの所定位置に付与された図示しないバーコードから通帳１の開かれたページを認識する。
【００１３】
ページめくり機構１５は、搬送路１１の下方に配設されたバックアッププレート１７、搬送路１１の上方に配設されためくりローラ１８、およびバックアッププレート１７の揺動の中心に設けられた支点１９ａを中心に揺動自在であるとともに、その揺動の先端にめくりローラ１８を回動自在に取り付けた揺動軸１９を有している。揺動軸１９が図１中破線で示す位置に図示しないモータによって揺動されると、めくりローラ１８が揺動されるとともにバックアッププレート１７がそれに連動して揺動される。また、めくりローラ１８は、図示しないモータによって時計回り或いは反時計回り方向に回転可能となっている。
【００１４】
このページめくり機構１５によって通帳１のページをめくる場合、まず、通帳１をページめくり機構１５内の所定位置まで搬送して停止させ、例えば図１中破線で示すように揺動軸１９を図中左方向へ揺動してめくりローラ１８を通帳１の上に押し当てる。このとき、揺動軸１９の揺動にともない、バックアッププレート１７も揺動され、傾いたバックアッププレート１７によって通帳１の背面が上方へ押し上げられる。
【００１５】
この状態で、通帳１の搬送方向上流側のページに押し当てられためくりローラ１８を回転し、通帳１の最上端のページのめくり動作を開始する。このめくり動作によって当該ページがせり上がるように膨らみ、ある程度めくられたところでめくりローラ１８を停止する。さらに、この状態から揺動軸１９を図中実線で示す位置に戻した後、めくりローラ１８を再度回転し、当該ページをめくりローラ１８上に完全にめくり上げる。
【００１６】
そして、通帳１を逆方向に搬送し、ローラ上にめくり上げたページを完全に開くとともに、開いたページの画像データをページ検知センサＳを介して検出し、バーコードを読み取って開いたページを確認する。これにより、通帳１の所望するページを自動的に開くことができるとともに開いたページを認識できる。このようにして所望するページが開かれた通帳１は、後述する印刷装置２０へ搬送されて所定の情報が所望するページに印刷される。
【００１７】
尚、ページめくり機構１５を上述した動作と逆に動作させることにより、通帳１のページを逆方向にも開くこともできる。
【００１８】
図２には、印刷装置２０を拡大して示してある。  
この印刷装置２０は、印刷部３と、この印刷部３の下方に設けられた転写部４と、を有する。
【００１９】
印刷部３は、サーマルヘッド５を有し、このサーマルヘッド５にはプラテンローラ６が対向配置されている。サーマルヘッド５とプラテンローラ６との間には例えばＹ（イエロー）、Ｍ（マゼンタ）、Ｃ（シアン）、Ｂｋ（黒）各色の溶融インクをダンダラに塗工した画像リボン７が介在されている。画像リボン７はその一端が送出軸８に巻き付けられ、他端が巻取軸９に巻き付けられている。画像リボン７の中途部はガイド部材２１、２２に掛け渡されている。
【００２０】
なお、画像リボン７としては、単色インクのみのリボンでも良く、また、紫外線によって発光する蛍光顔料インク、さらに、光沢面を持つ印刷用の金属薄膜（アルミ蒸着）層、或いは、印刷用のホログラム層等の機能を有するリボン材料であっても良い。
【００２１】
一方、転写部４は、ヒートローラ２６を備え、このヒートローラ２６の下方にバックアップローラ２７が対向位置されている。ヒートローラ２６は、内部にヒータ２６ａを有し、その外周の一部が略平面状にされた断面Ｄ形状に形成されている。ヒートローラ２６の残りの湾曲した外周部分２６Ｂの長さは、通帳１の搬送方向に沿った画像転写エリアの長さと略同じ長さになっている。画像転写エリアとは、通帳１のページ内で画像を形成可能なエリアを指す。
【００２２】
このヒートローラ２６とバックアップローラ２７との間には中間転写体としての中間転写リボン２８が介在されている。中間転写リボン２８は、ポリエステル素材からなる長尺の基材フィルムを有し、この基材フィルムの表面には、フェノキシ系樹脂からなる剥離層を介して、ポリエステル系樹脂からなる転写層が順に塗布されている。転写層には上述した印刷部３を介して画像が印刷される。転写層は、印刷された画像を通帳１の所定のページに転写するため、基材フィルムから剥離されて画像とともに通帳１に転写されるようになっている。
【００２３】
なお、中間転写リボン２８には、ホログラム層や紫外線によって発光する蛍光発色層などの機能層を設けることにより、通帳１への画像転写に基づきこれらの機能層も転写することが可能である。
【００２４】
中間転写リボン２８の一端側は印刷部３近くに設けられた送出軸３０に巻き付けられ、他端側は転写部４近くに設けられた巻取軸３１に巻き付けられている。中間転写リボン２８の中途部は、プラテンローラ６、ガイドシャフト３２ａ〜３２ｄ、およびリボンテンショナー３４に掛け渡されている。つまり、中間転写リボン２８は、図２中矢印方向に常時付勢されるリボンテンショナー３４によって所定の張力が与えられており、印刷部３において、プラテンローラ６の外周と画像リボン７との間に介在されている。また、中間転写リボン２８は、転写部４において、ガイドシャフト３２ｃ、３２ｄに掛け渡されて、搬送路１１の上方に離間して搬送路１１に沿って平行に延びている。
【００２５】
ヒートローラ２６は印刷待機時においては、その略平らにカットされたカット面２６Ａを中間転写リボン２８を介して搬送路１１に対し並行に対向させている（図２に示す姿勢）。これにより、ヒートローラ２６とバックアップローラ２７との間には隙間が形成されている。このとき、中間転写リボン２８はヒートローラ２６とバックアップローラ２７に接触しないとともに、印刷開始時に進入してくる通帳１の表面にも接触しない位置に配置されている。
【００２６】
図３には、上記のように構成された印刷装置２０を含むシステム１０の動作を制御する制御系のブロック図を示してある。
【００２７】
システム１０の制御部５０には、上述した通帳取り込み部１２、およびページめくり部１６の各機構が接続されている。また、制御部５０には、搬送路１１を介して通帳１を搬送させるための複数の搬送ローラ１４を正逆両方向に回転させるためのステッピングモータ５１が接続されている。
【００２８】
また、制御部５０には、印刷部３の画像リボン７を巻き取る巻取軸９を回転させるためのパルスモータ５２、中間転写リボン２８を送り出す送出軸３０を回転させるためのパルスモータ５３、および中間転写リボン２８を巻き取る巻取軸３１を回転させるためのパルスモータ４３が接続されている。
【００２９】
さらに、制御部５０には、印刷部３のサーマルヘッド５、ヒートローラ２６を回転させるためのステッピングモータ５５、および中間転写リボン２８の巻取軸３１に取り付けられたロータリーエンコーダ４５が接続されている。
【００３０】
次に、上記印刷装置２０の動作について図２を参照して説明する。
【００３１】
動作前の待機状態において、カット面２６Ａが搬送路１１に対向する姿勢（図２に示す姿勢）にヒートローラ２６が設定されている。また、ヒートローラ２６は、ヒータ２６ａに通電することにより、所定温度（本実施の形態では１５０℃）まで昇温されている。
【００３２】
この状態で、画像リボン７と中間転写リボン２８がサーマルヘッド５によってプラテンローラ６に押し当てられ、プラテンローラ６が所定の速度で回転されて中間転写リボン２８および画像リボン７が走行され、サーマルヘッド５によって中間転写リボン２８の転写層上に画像が印刷される。これと同時に画像リボン７の巻取軸９と中間転写リボン２８の巻取軸３１が回転され、プラテンローラ６によって搬送された画像リボン７と中間転写リボン２８が巻き取られる。印刷された画像は、中間転写リボン２８の走行によって、ヒートローラ２６とバックアップローラ２７との間の転写領域へ搬送されて所定の転写位置で停止される。
【００３３】
このとき、中間転写リボン２８の巻取軸３１はプラテンローラ６による走行速度より速い走行速度になるような回転速度で回転されているが、実際はトルクリミッタ４０の作用によりプラテンローラ６による走行速度で回転する。制御部５０にて、この中間転写リボン２８の巻取軸３１の実際の回転速度がロータリーエンコーダ４０を介して検出され、巻取軸３１に巻き取られている中間転写リボン２８の巻径が検出される。
【００３４】
一方、所定のページが開かれた通帳１が搬送路１１を介して搬送され、画像を形成するページの先端がヒートローラ２６の真下に配置された状態で停止される。そして、ヒートローラ２６が回転されると同時に、複数の搬送ローラ１４が回転され、ヒートローラ２６の湾曲した外周部分２６Ｂが、画像が印刷された中間転写リボン２８を介して、通帳１に押し当てられる。このとき、巻取軸３１が予め検出した巻径に基づく回転速度で回転され、中間転写リボン２８が通帳１の搬送速度と同じ速度で走行される。
【００３５】
これにより、中間転写リボン２８が加熱されて通帳１に押圧され、画像が印刷された転写層の部分が画像とともに通帳１に転写される。画像転写後、中間転写リボン２８は、通帳１の搬送方向とは異なる方向に指向され、中間転写リボン２８と通帳１とが分離され、通帳１に転写された画像を含む転写層と中間転写リボンの基材フィルムとが剥離される。
【００３６】
剥離後、必要に応じて、中間転写リボン２８の送出軸３０がリボンを巻き取る方向（逆方向）に回転され、中間転写リボン２８が所定距離だけ巻き取られる。つまり、剥離シャフト３３で通帳１から分離された中間転写リボン２８は、剥離によって基材フィルムから転写層が無くなった部分より上流側の部分は使用可能なため、この部分がサーマルヘッド５に対向する位置まで中間転写リボン２８が巻き取られる。
【００３７】
次に、上述した印刷装置２０の弛み取りローラ１３’の構造および機能について、図４および図５を参照して説明する。  
図４に示すように、弛み取りローラ１３’は、図示しない通帳投入口からページめくり部１６に向かう方向（第１の方向）（図中矢印Ｔ1方向）に沿ってヒートローラ２６の下流側に隣接して配置されている。この弛み取りローラ１３’は、搬送路１１を介して搬送ローラ１４ａ（第２搬送ローラ）に所定の押圧力Ｎ、本実施の形態では、８．２［Ｎ］で押圧配置されている。
【００３８】
図５に示すように、弛み取りローラ１３’の回転軸６１には、２つのローラ部６２、ワンウェイクラッチ６３、およびトルクリミッタ６４が取り付けられている。２つのローラ部６２は、回転軸６１に沿って互いに離間して配置され、本実施の形態では、直径Ｄ＝１２［ｍｍ］、硬度６５［°］のウレタンにより形成されている。
【００３９】
ワンウェイクラッチ６３は、弛み取りローラ１３’が図４で矢印Ｔ1方向へ回転するとき回転軸６１を自由にし、弛み取りローラ１３’が逆方向（第２の方向）（図４中矢印Ｔ2方向）へ回転するとき回転軸６１を拘束するよう機能する。すなわち、弛み取りローラ１３’は、ワンウェイクラッチ６３の機能により、図４で時計回り方向に自由に回転するとともに、反時計回り方向に所定のトルクをもって回転する。
【００４０】
トルクリミッタ６４は、弛み取りローラ１３’が図４で矢印Ｔ2方向へ回転するときワンウェイクラッチ６３に対して回転軸６１の回転を抑制する方向のトルクを与える。すなわち、トルクリミッタ６４は、弛み取りローラ１３’が図４で反時計回り方向に回転するとき回転軸６１に一定の回転抑制トルクを与えるよう機能する。
【００４１】
より具体的には、通帳１の開いたページと弛み取りローラ１３’のローラ部６２との間の静止摩擦係数をμとし、弛み取りローラ１３’の直径をＤ［ｍ］とし、弛み取りローラの搬送ローラ１４ａに対する押圧力をＮ［Ｎ］とした場合、トルクリミッタ６４のトルクＴ［Ｎ・ｍ］は、以下の式を満たす値に設定される。
【００４２】
Ｔ／（Ｄ／２）＜μＮ
トルクリミッタ６４のトルクを上式を満たす値に設定すると、通帳１の中紙に後述するような弛みがある場合、弛みを取るまで通帳１の中紙と弛み取りローラ１３’のローラ部６２が滑ることがなく、弛みを取った後、弛み取りローラ１３’が通帳１に連れ回るように動作する。
【００４３】
以下、上述した弛み取りローラ１３’による弛み取り動作について、図６乃至図１０を参照して説明する。なお、ここでは、発行済の通帳１を記帳ページを開いた状態で利用者が図示しない通帳投入口から投入した際に中紙に生じた弛みを取る場合の動作について説明する。
【００４４】
図６に示すように、図示しない通帳投入口を介してシステム１０に通帳１が投入されると、通帳１の図中左側端部が搬送ローラ１４ｂ（第１搬送ローラ）と従動ローラ１３との間のニップに挟まれて矢印Ｔ1方向に搬送される。さらに、通帳１は、図７に示すように、転写位置を通過して矢印Ｔ1方向に搬送され、搬送方向先端が、ヒートローラ２６の下流側の搬送ローラ１４ａと弛み取りローラ１３’との間のニップに挟持されて停止される。
【００４５】
このとき、弛み取りローラ１３’は、図８に示すように、通帳１に連れ回る方向に空転し、通帳１の搬送を妨げることはない。つまり、この場合、ローラ部６２の回転が回転軸６１を伝ってトルクリミッタ６４に伝達されることがなく、回転軸６１にトルクが付与されることがない。しかし、このとき、通帳１の搬送方向先端がローラ１４ａ、１３’間のニップに進入する際、通帳１の中紙に図１０に示すような弛みを生じる場合がある。
【００４６】
このように、通帳１の開いたページに弛みを生じると、通帳１の弛んだページが中間転写リボン２８に接触してインクが付着してしまう可能性がある。また、弛みを生じたまま通帳１を転写位置に搬送して印刷してしまうと、印刷位置にズレを生じてしまう。
【００４７】
このため、本実施の形態では、図９に示すように、転写位置を通過した通帳１を通帳投入口に向けて矢印Ｔ2方向に僅かに戻すことにより、通帳１の開いたページの弛みを取るようにした。言い換えると、本実施の形態では、通帳投入口から投入した通帳１を転写位置を通過させて逆方向に戻すことで、通帳１の開いたページの弛みを取るようにした。
【００４８】
すなわち、図１０に示すように、弛んだページを搬送ローラ１４ａと弛み取りローラ１３’との間のニップで挟持した状態で、通帳１を矢印Ｔ2方向に搬送すると、上述したように弛み取りローラ１３’が機能して、弛んだページが綴じ目から離れる方向に引っ張られ、弛みを取ることができる。
【００４９】
具体的には、弛み取りローラ１３’が通帳１に連れ回って矢印Ｔ2方向に回転しようとすると、ワンウェイクラッチ６３がトルクリミッタ６４に回転を伝達し、弛み取りローラ１３’の回転を止めようとする。このとき、弛み取りローラ１３’のトルクを上述したように適切な値に設定することで、中紙の弛みを取るまでローラ部６２と中紙が滑ることなく弛み取りローラ１３’が停止され、弛みが取れた後、弛み取りローラ１３’が通帳１に連れ回るように動作する。
【００５０】
本実施の形態の印刷装置２０において、トルクリミッタ６４の適性トルクを実験により調べたところ、トルクＴを下記の範囲に設定したときに通帳１の中紙に生じた弛みを良好に取ることができた。
【００５１】
２．７×１０-2＜Ｔ＜３．５×１０-2［Ｎ・ｍ］
以上のように、本実施の形態によると、通帳１の搬送路１１上に上述した構造の弛み取りローラ１３’を配置しただけの簡単な構成により、従来のように複数のローラをそれぞれ別々の方向に回転させたりする必要がなく、容易且つ確実に通帳１の中紙の弛みを取ることができる。これにより、通帳１の中紙にインクが不所望に付着したり、転写位置にズレを生じたりする不具合を防止でき、信頼性の高い処理装置を提供できる。
【００５２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００５３】
例えば、上述した実施の形態では、通帳１を処理する場合について説明したが、これに限らず、複数枚の紙葉類を綴じた他の種類の冊子を搬送して処理する装置に本発明を適用しても良い。
【００５４】
また、弛み取りローラを配置する位置は適宜変更可能であり、ページめくり部１６などに弛み取りローラを配置しても良い。
【図面の簡単な説明】
【００５５】
【図１】この発明の実施の形態に係る通帳印刷システムの概略構造を示す図。
【図２】図１のシステムの印刷装置の概略構造を示す図。
【図３】図１のシステムの動作を制御する制御系のブロック図。
【図４】図２の印刷装置の要部の構成を弛み取りローラとともに示す概略図。
【図５】図４の弛み取りローラの概略構造を示す斜視図。
【図６】取り込んだ通帳を転写位置へ搬送する状態を示す図。
【図７】転写位置を僅かに通り過ぎた状態を示す図。
【図８】図７の動作時における弛み取りローラの動作を説明するための概略斜視図。
【図９】図７の状態から通帳を逆方向に搬送する状態を示す図。
【図１０】図９の動作時に通帳の中紙の弛みを取る動作を説明するための概略斜視図。
【符号の説明】
【００５６】
１…通帳、３…印刷部、４…転写部、１１…搬送路、１３…従動ローラ、１３’…弛み取りローラ、１４…搬送ローラ、２０…印刷装置、２６…ヒートローラ、２７…バックアップローラ、２８…中間転写リボン、５０…制御部、６１…回転軸、６２…ローラ部、６３…ワンウェイクラッチ、６４…トルクリミッタ、Ｔ1…第１の方向、Ｔ2…第２の方向。
【図１】
2006095949.tif 000003
【図２】
2006095949.tif 000004
【図３】
2006095949.tif 000005
【図４】
2006095949.tif 000006
【図５】
2006095949.tif 000007
【図６】
2006095949.tif 000008
【図７】
2006095949.tif 000009
【図８】
2006095949.tif 000010
【図９】
2006095949.tif 000011
【図１０】
2006095949.tif 000012